(57)【要約】  【課題】  音声や映像の重要な部分を簡単な操作で確実に切り出すことができる。  【解決手段】  音声等のストリームデータがストリームデータ記録装置１０で生成されてストリームデータファイルサーバ１２に記録される。ユーザがメモ要求送信部１４を操作してメモ要求を送出すると、管理サーバ１３が、対応するメモ要求のレコードを記憶管理する。メモ要求のレコードは操作に対応した時刻の情報を含み、視聴要求があると、この基準となる時刻の情報に基づいて、それから３０秒遡った時点から当該基準時刻の範囲で切り出されたストリームデータがストリームデータファイルサーバ１２からクライアント端末１７に転送される。ユーザはクライアント端末１７のストリームデータ再生装置１８を用いて切り出したストリームデータのみ視聴する。【選択図】  図１
2005267798.tif 000002
【特許請求の範囲】
【請求項１】
音声および映像の少なくとも一方からストリームデータを生成するストリームデータ生成手段と、
上記ストリームデータ生成手段で生成したストリームデータを記憶するストリームデータ記憶手段と、
ユーザが操作する操作手段と、
上記操作手段の操作に応じた第１のタイミングから所定時間前の第２のタイミングと上記第１のタイミングとの間の間隔に対応するストリームデータを上記ストリームデータ記憶手段から読み出して出力するストリームデータ出力手段とを有することを特徴とする情報記録装置。
【請求項２】
音声および映像の少なくとも一方からストリームデータを生成するストリームデータ生成装置と、
上記ストリームデータ生成手段で生成したストリームデータを記憶するストリームデータ記憶装置と、
ユーザが操作する操作装置と、
上記操作装置の操作に応じた第１のタイミングから所定時間前の第２のタイミングと上記第１のタイミングとの間の間隔に対応するストリームデータを上記ストリームデータ記憶装置から読み出して出力するストリームデータ出力装置とを有することを特徴とする情報記録装置。
【請求項３】
上記ストリームデータ出力装置は、
上記操作装置の操作に応じた時間情報を少なくとも含む操作イベント情報を記憶する操作イベント情報記憶手段と、
上記操作イベント記憶手段に記憶されている上記操作イベント情報の時間情報に基づいて上記第２のタイミングと上記第１のタイミングとの間の間隔に対応するストリームデータを上記ストリームデータ記憶装置から取得するストリームデータ取得手段とを有する請求項２記載の情報記録装置。
【請求項４】
上記操作イベント情報は、操作された操作装置に割り当てられた識別子の情報を含み、上記操作イベント情報の識別子の情報に基づいて、対応する操作装置の操作に関連する操作イベント情報を抽出する請求項３記載の情報記録装置。
【請求項５】
上記操作イベント情報は、セッションを指定するセッション情報を含み、対応するセッションにおいてなされた操作装置の操作に関連する操作イベント情報を抽出する請求項３または４記載の情報記録装置。
【請求項６】
音声および映像の少なくとも一方からストリームデータを生成するストリームデータ生成手段と、
上記ストリームデータ生成手段で生成したストリームデータを一時記憶する第１の記憶手段と、
ユーザが操作する操作手段と、
上記操作手段の操作に応じた第１のタイミングから所定時間前の第２のタイミングと上記第１のタイミングとの間に対応するストリームデータを上記第１の記憶手段から読み出して記憶する第２の記憶手段と、
上記第２の記憶手段に記憶されているストリームデータを出力するストリームデータ出力手段とを有することを特徴とする情報記録装置。
【請求項７】
ストリームデータ出力手段は、ストリームデータから音声および映像の少なくとも一方を再生する再生手段を含む請求項６記載の情報記録装置。
【請求項８】
ストリームデータ出力手段は、ストリームデータを外部装置に伝送するストリームデータ伝送手段を含む請求項６または７記載の情報記録装置。
【請求項９】
ストリームデータ生成手段が音声および映像の少なくとも一方からストリームデータを生成するステップと、
ストリームデータ記憶手段が上記ストリームデータ生成手段で生成したストリームデータを記憶するステップと、
ストリームデータ出力手段が、ユーザが操作手段を操作したことに応じた第１のタイミングから所定時間前の第２のタイミングと上記第１のタイミングとの間の期間に対応するストリームデータを上記記憶手段から読み出して出力するステップとを有することを特徴とする情報記録方法。
【請求項１０】
ストリームデータ生成手段が音声および映像の少なくとも一方からストリームデータを生成するステップと、
ストリームデータ記憶手段が上記ストリームデータ生成手段で生成したストリームデータを記憶するステップと、
ストリームデータ出力手段が、ユーザが操作手段を操作したことに応じた第１のタイミングから所定時間前の第２のタイミングと上記第１のタイミングとの間の期間に対応するストリームデータを上記記憶手段から読み出して出力するステップとをコンピュータに実行させるために用いられることを特徴とする情報記録用コンピュータプログラム。
【発明の詳細な説明】
【技術分野】
【０００１】
この発明は、音声や映像（動画像）を記録する情報記録技術に関し、とくに重要な場面の音声や映像を容易かつ確実に記録できるようにしたものである。
【背景技術】
【０００２】
会議等の内容を後で参照するために会議中の音声や映像をレコーダで記録することがある。通常は、会議等の全体に渡って音声や映像を記録する。内容を再生するときには、重要な場面のみを取りだしての場面の音声や映像を視聴することが、時間を節約する上で好ましい。しかしながら、どの部分が重要な場面であるのかを探すのに手間がかかる。
【０００３】
また、音声や映像を記録するときに重要と思える部分を記録することも考えられるが、会議等に出席しているときにどの場面が重要かを即座に判断するのは困難であり、重要な場面であったことが判明した後、記録を開始することも多く、結局、重要な場面の音声や画像を記録し損なうこととなる。
【０００４】
会議記録システムにおいて有用な部分を自動的に認識して抽出することも提案されているが、正確に自動抽出することは現在の技術では非常に困難であり、ユーザが意味付けをすることが必須である。
【０００５】
会議や日常的な談話の場面で保存しておきたい発言等を、手間をかけることなく保存および再利用可能にすることが望まれる。
【０００６】
なお、この発明と関連する特許文献としてはつぎのようなものがある。
【０００７】
特許文献１は、音声または動画像を記録する際に、ユーザが指定する時刻を表す位置にマークを付け、その位置からの再生を可能にすることを開示している。
【０００８】
また、特許文献２は、音声または動画像を記録する際に、ユーザが何らかのデバイスに対して行った動作とその時刻を保存しておき、その位置からの再生を可能にすることを開示している。
【０００９】
しかしながら、重要かどうかを事前に察知することは通常困難であり、いずれの特許文献の手法によっても、ユーザにとって意味のある区間の開始位置、再生位置を指定することは困難である。
【特許文献１】特開２００２−２４７４８９公報
【特許文献２】特開平６−３４３１４６号公報
【発明の開示】
【発明が解決しようとする課題】
【００１０】
この発明は、以上の事情を考慮してなされたものであり、簡単かつ確実に重要な場面を指定して後に参照できる情報記録技術を提供することを目的としている。
【課題を解決するための手段】
【００１１】
この発明の構成例においては、会議や日常的な談話の場面で保存しておきたい発言を、入力の手間をかけることなく保存および再利用可能にするために、その会議や談話の参加者が有用だと感じた際に、ボタンを押す等の単純な操作で保存すべき部分を指定する。具体的には、音声または動画像の記録に際して、ユーザが、押しボタン等を具備する単純な指定装置を用いて保存したい部分の終了時刻を指定し、ユーザが指定した時刻を終了時刻とし所与の時間だけ遡った時刻を開始時刻とする区間の音声または動画像を選択する。指定装置はユーザＩＤをシステム本体に送信することで、談話や会議の参加者のそれぞれが重要だと考えた部分をユーザ毎に区別して保存することができる。
【００１２】
上述の構成例ではシステム本体と指定装置とを用いたが、後に説明するように、押しボタン等を具備する記録装置として構成しても良い。
【００１３】
この発明をさらに説明する。
【００１４】
この発明の一側面によれば、上述の目的を達成するために、情報記録装置に：音声および映像の少なくとも一方からストリームデータを生成するストリームデータ生成手段と；上記ストリームデータ生成手段で生成したストリームデータを記憶するストリームデータ記憶手段と；ユーザが操作する操作手段と；上記操作手段の操作に応じた第１のタイミングから所定時間前の第２のタイミングと上記第１のタイミングとの間の間隔に対応するストリームデータを上記ストリームデータ記憶手段から読み出して出力するストリームデータ出力手段とを設けている。
【００１５】
情報記録装置は、単一の筐体に収容された単一の装置として構成されても良いし、複数の装置が共同してシステムを形成するものでも良い。
【００１６】
この構成においては、重要な場面を認識した後、それを遡って重要箇所の指定を行なえるので、重要な場面の音声や映像を確実に記録できる。しかも、操作手段を用いてボタン押圧操作等を行なうだけよいので煩雑でない。
【００１７】
情報記録装置をシステムとして構築する場合には、音声および映像の少なくとも一方からストリームデータを生成するストリームデータ生成装置、例えばオーディをレコーダやビデオレコーダと；上記ストリームデータ生成手段で生成したストリームデータを記憶するストリームデータ記憶装置、例えばファイルサーバと；ユーザが操作する操作装置（指定装置）と；上記操作装置の操作に応じた第１のタイミングから所定時間前の第２のタイミングと上記第１のタイミングとの間の間隔に対応するストリームデータを上記ストリームデータ記憶装置から読み出して出力するストリームデータ出力装置、例えば管理サーバとを用いることができる。
【００１８】
上記ストリームデータ出力装置は：上記操作装置の操作に応じた時間情報を少なくとも含む操作イベント情報を記憶する操作イベント情報記憶手段と；上記操作イベント記憶手段に記憶されている上記操作イベント情報の時間情報に基づいて上記第２のタイミングと上記第１のタイミングとの間の間隔に対応するストリームデータを上記ストリームデータ記憶装置から取得するストリームデータ取得手段とを具備しても良い。
【００１９】
また、上記操作イベント情報は、操作された操作装置に割り当てられた識別子の情報を含み、上記操作イベント情報の識別子の情報に基づいて、対応する操作装置の操作に関連する操作イベント情報を抽出するようにしてもよい。このようにすると例えば操作装置の所有者が指定したストリームデータを指定して視聴できる。
【００２０】
また、上記操作イベント情報が、例えば個々の場面に該当するセッションを指定するセッション情報を含み、対応するセッションにおいてなされた操作装置の操作に関連する操作イベント情報を抽出するようにしてもよい。このようにすると場面を指定してストリームデータを視聴できる。
【００２１】
一体型の情報記録装置は：音声および映像の少なくとも一方からストリームデータを生成するストリームデータ生成手段と；上記ストリームデータ生成手段で生成したストリームデータを一時記憶する第１の記憶手段と；ユーザが操作する操作手段と；上記操作手段の操作に応じた第１のタイミングから所定時間前の第２のタイミングと上記第１のタイミングとの間に対応するストリームデータを上記第１の記憶手段から読み出して記憶する第２の記憶手段と；上記第２の記憶手段に記憶されているストリームデータを出力するストリームデータ出力手段とを有する。
【００２２】
ストリームデータ出力手段は、ストリームデータから音声および映像の少なくとも一方を再生する再生手段を含んでもよいし、ストリームデータを外部装置に伝送するストリームデータ伝送手段を含んでもよい。
【００２３】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００２４】
この発明の上述の側面および他の側面は特許請求の範囲に記載され以下実施例を用いて詳述される。
【発明の効果】
【００２５】
この発明によれば、ユーザにとって意味のある区間をコンパクトに抽出することが可能であり、また会議や談話の場面に対しても自然な方法で適用可能である。特別なコンピュータ操作を会議中等に行う必要がなく、ユーザが意図した区間を正しく保存することが可能である。ユーザの意図を不正確に推測することに起因する問題がなく、保存する区間を指定するため繁雑な操作を行なう必要もない。
【発明を実施するための最良の形態】
【００２６】
以下、この発明の実施例について説明する。
【実施例１】
【００２７】
図１は、この発明の実施例１の情報記録システム１００を全体として示している。この情報記録システム１００は会議や談話等が執り行われる場所（記録エリア２００）例えば会議室等で会議等の内容を音声や映像として記録するものである。記録内容は後述のとおり記録期間を指定して記録される。
【００２８】
図１において、情報記録システム１００は、ストリームデータ記録装置１０、ストリームデータ転送サービス部１１、ストリームデータファイルサーバ１２、管理サーバ１３、メモ要求送信機（指定装置、操作装置ともいう）１４、メモ要求受信部１５、メモ要求転送サービス部１６、クライアント端末１７、ストリームデータ再生装置１８等を含んで構成されている。ストリームデータ転送サービス部１１およびメモ要求転送サービス部１６は具体的にはコンピュータにより実現される。両者を単一のコンピュータで実現しても良い。情報記録システム１００の各部は適宜にネットワーク１９に接続されている。記録エリア２００には、ストリームデータ記録装置１０、ストリームデータ転送サービス部１１、メモ要求送信機１４、メモ要求受信部１５、およびメモ要求転送サービス部１６が配置される。
【００２９】
ストリームデータ記録装置１０は、オーディオレコーダ（マイクロフォン）やビデオレコーダ（ビデオカメラ）である。ストリームデータ記録装置１０は、音声や映像に応じてストリームデータを生成してストリームデータ転送サービス部１１に供給し、ストリームデータ転送サービス部１１はこれをストリームデータファイルサーバ１２に転送する。なお、ストリームデータは遅くともストリームデータファイルサーバ１２に記憶管理されるときにはタイムコードを含むようになっており、時間指定により所望のストリームデータ部分を取り出せるようになっている。また、ストリームデータファイルサーバ１２は、ストリームデータを、当該ストリームデータ記録装置１０の識別子（ソースＩＤと呼ぶ）に関連付けて記録するようになっている。このため複数のストリームデータ記録装置１０を用いても区別して管理できる。もちろん単一のストリームデータ記録装置１０しか用いない場合にはソースＩＤを採用する必要はない。ソースＩＤは例えばストリームデータ転送サービス部１１が割り当てる。
【００３０】
メモ要求送信機１４は例えば携帯型の装置であり、ボタン等の操作部が操作されたときにメモ要求を送信するものである。もちろん、メモ要求送信機１４は会議室の机等に固定して取り付けられていても良い。
【００３１】
この実施例ではメモ要求送信機１４を操作した時刻、あるいはメモ要求が管理サーバ１３に受信された時刻等を基準にしてストリームデータを切り出す。すなわち操作時刻、受信時刻、あるいはこれに対して所定の遅延を差し引いた時刻等を基準時刻としてこれに所定時刻例えば３０秒だけ遡る時点から、当該基準時刻までのストリームデータを切り出す（図３（ｂ）のｔの期間）。
【００３２】
メモ要求送信機１４は、例えば図２に示すように、ＩＤレジスタ１４１、メモ要求操作部１４２、ゲート部１４３、セッションレジスタ１４４、セッション切替操作部１４５、変調部１４６、送信部１４７等を含んで構成されている。ＩＤレジスタ１４１はメモ要求送信機１４に一意の識別子を保持するものである。セッションレジスタ１４４は、会議の場面等を表すセッションを表すセッション番号を保持しており、セッション切替操作部１４５をユーザが操作することにより例えば１ずつ増分されるものである。場合によっては会議等の開始時にリセットされてもよい。ユーザは、場面を個別に管理したいときにはセッション切替操作部１４５を操作すればよい。例えば、現時点でセッション番号がＮとして、場面が変わったと判断して別のセッション番号で管理したいときにはセッション切替操作部１４５を操作する。そうするとセッション番号がＮ＋１となり、以降、Ｎ＋１のセッション番号で管理を行なえる。
【００３３】
メモ要求操作部１４２を操作すると、ゲート部１４３がＩＤレジスタ１４１の識別子とセッションレジスタ１４４のセッション番号等を変調部１４６に送り、これら識別子およびセッション番号を含んで成るメモ要求（例えば図４（ａ）参照）が変調されて送信部１４７にてメモ要求受信部１５（図１）宛に送信される。送信部１４７はメモ要求を伝送媒体に応じた手法で送信する。例えば、微弱電波や赤外線を用いて送信できるが、これに限定されない。
【００３４】
メモ要求受信部１５（図１）もメモ要求送信機１４に対応した受信部、復調部等を具備する（図示しない）。
【００３５】
図１に戻る。メモ要求転送サービス部１６は、メモ要求受信部１５が受信したメモ要求を受け取って管理サーバ１３に送信する。管理サーバ１３はメモ要求を受け取って各メモ要求を例えば図４（ａ）に示すようなレコードとして管理する。管理サーバ１３はメモ要求送信機１４の識別子とソースＩＤとの関係付けテーブルを保持して送信機ＩＤからソースＩＤを表引きしても良いし、あるいは、メモ要求送信機１４が所定のレジスタにソースＩＤを保持していても良い。
【００３６】
メモ要求のレコードは、例えば図４（ａ）に示すように、送信機ＩＤ、セッション番号、ソースＩＤ、時刻データを含む。管理サーバ１３は例えば図４（ｂ）、（ｃ）にそれぞれ示すようなソースレコード、会議レコードを管理しても良い。ソースレコードは、ストリームデータのソースを記述するものであり、場所や会議ＩＤ等のストリームソース情報を含んでいる。会議レコードは会議の内容を記述する情報、参加者、テーマ、日時、資料ファイルＩＤ等を含んでいる。これらソースレコードや会議レコードは、会議室の管理者や会議の主催者が予めあるいは事後的に作成して管理サーバ１３に記録する。
【００３７】
ユーザは、クライアント端末１７を用いて管理サーバ１３にアクセスしてメモ要求のレコードを閲覧する。図５は、メモ要求のレコードの一覧を示す画面の例であり、図５の例では、「Ａさん」を指定して「Ａさん」のメモ要求を閲覧している状況を示す。もちろん、「Ａさん」のメモ要求にアクセスする権限がなければアクセスできない。図５の例ではセッション番号Ｎ、場所、日時、参加者が表示され、そのセッションにおけるメモ要求のアイコンが表示される。セッション番号Ｎでは、１〜Ｎのメモがアイコン表示されている。つぎのセッション番号Ｎ＋１についても当該セッションのメモ要求がアイコン表示されていく。「場所、日時、参加者」等の情報は、メモ要求レコードのソースＩＤフィールドを調べ、所望のソースレコードを取り出し、当該ソースレコードの会議ＩＤフィールドから会議ＩＤを取り出し、この会議ＩＤの会議レコードを参照して取得できる。
【００３８】
ユーザは閲覧したメモ要求のうち視聴したいものをポインティングデバイス等で指定して視聴要求を作成する。視聴要求は管理サーバ１３を介して、あるいは直接にストリームデータファイルサーバ１２に送られ、これに基づいて対応する部分のストリームデータがクライアント端末１７に送られる。
【００３９】
図３は、記録例を示しており、この図において、ストリームデータ記録装置１０からのストリームデータ（図３（ａ））はすべてストリームデータファイルサーバ１２に記憶管理される。ユーザは図３（ｂ）の縦の矢印のタイミングでメモ要求送信機１４を操作して者とする。この例では３回の操作が示されている。そして、この操作時刻等の基準時刻がメモ要求レコード（図４（ａ））の時刻データとして管理サーバ１３に記憶管理される。先に述べたように切り出されるデータストリームは、図３（ｂ）のｔの期間に対応するものである。このｔの期間に対応するデータストリームが図３（ｃ）に示す記憶セグメントとしてクライアント端末１７あるいは他の保存用コンピュータに転送されていく。不要な期間はスキップされるので総合的な記録データは図３（ｄ）に示すように短縮されたものとなる。重要な場面の内容はすべてｔの期間（操作時刻等からｔだけ遡った期間）に納まると予想されるので、確実に重要な部分を再生できる。
【００４０】
なお、この例では遡る時間間隔ｔは３０秒等として固定としたが、ユーザが指定できるようにしても良い。また、音声を記録する場合には、音声が途切れるところまで遡るようにしても良い。ただし、最長遡及期間や最短遡及期間を設け、遡及後直ちに音声が途絶えた場合最小でも例えば１０秒遡及するようにし、また遡及してもなかなか音声が途絶えない場合には１分で遡及を中止する。すなわち、基準時刻と、その前の音声が途絶えたタイミングとの間でストリームデータを切り出すが、切り出したストリームデータの長さが１０〜６０秒の間になるようにする。６０秒もあれば十分に重要な場面が終了していると予想される。
【００４１】
送られてきたストリームデータはストリームデータ再生装置１８で音声または映像に再生され、ユーザはこれを視聴する。ユーザは、視聴要求でなく、保存要求を送り、ストリームデータをクライアント端末１７または他のコンピュータに保管することができる。
【００４２】
以上の実施例の動作を概括すると図６に示すようになりその内容は以下のとおりである。
【００４３】
［ステップＳ１０］：ストリームデータ記録装置１０がストリームデータの生成を開始し、生成し続ける。
［ステップＳ１１］：ストリームデータファイルサーバ１２が、ストリームデータ記録装置１０からのストリームデータを受取り記録する。
［ステップＳ１２］：メモ要求受信部１５がメモ要求送信機１４からのメモ要求を受け付けたかどうかを判別する。受け付けたらステップＳ１３へ進み、そうでなければステップＳ１４へ進む。
［ステップＳ１３］：管理サーバ１３がメモ要求を受け取ってメモ要求レコードとして管理する。
［ステップＳ１４］：管理サーバ１３が視聴要求を受け付けたかどうかを判別する。受け付けたらステップＳ１５へ進み、そうでなければステップＳ１２へ戻り処理を繰り返す。
［ステップＳ１５］：ストリームデータファイルサーバ１２が、メモ要求のレコードに対応するセグメントのストリームデータを切り出してクライアント端末１７に送出する。
［ステップＳ１６］：クライアント端末１７が、切り出されたストリームデータを受け取って再生する。ステップＳ１２へ戻る。
【００４４】
以上で実施例１の説明を終了する。
【実施例２】
【００４５】
つぎにこの発明の実施例２について説明する。この実施例２は、この発明をオーディオレコーダやビデオレコーダ等の情報記録装置３００として実現したものである。この情報記録装置３００は、携帯型の装置であるが、固定型のものとしても良い。
【００４６】
図７は実施例２の情報記録装置３００を全体として示しており、この図において、情報記録装置３００は、ストリームデータ記録部３０１、符号化部３０２、リングバッファ３０３、メモ要求操作部３０４、メモリ３０５、復号部３０６、再生操作部３０７およびストリームデータ再生部３０８を含んで構成されている。
【００４７】
ストリームデータ記録部３０１はマイクロフォンやビデオカメラ等であり、音声や映像からストリームデータを生成する。生成されたストリームデータは符号化部３０２に所定の手法で符号化されリングバッファ３０３に一時記憶される。メモ要求操作部３０４は所定の押しボタン等であり、これが操作されると、その時点から所定時間（例えば３０秒）だけ遡った３０秒の部分のストリームデータがリングバッファ３０３から切り出され、メモリ３０５に保管される。メモ要求操作部３０４が操作されるたびに３０秒ずつストリームデータのセグメントがメモリ３０５に追加記憶されていく。なおストリームデータのセグメントの間に干渉部を付加し、不連続に伴う深いな印象を削除するようにしても良い。リングバッファの記憶容量は、３０秒の切り出し時間のストリームデータを一時記憶するのに足るものでよい。
【００４８】
再生操作部３０７は再生指示を行なう押しボタン等であり、これが操作されると、メモリから、切り出し保管されたデータストリームが読み出され、さらに復号化され、ストリームデータ再生部３０８に出力される。ストリームデータ再生部３０８はスピーカやモニタである。
【００４９】
この実施例でも先の実施例１と同様に簡単な操作で確実に重要な場面のストリームデータを記録することができる。
【００５０】
なお、この発明は上述の実施例に限定されるものではなくその趣旨を逸脱しない範囲で種々変更が可能である。例えば、実施例２において切り出したストリームデータをメモリ３０５に保管したが、磁気媒体等に記録しても良い。また切り出しに用いるリングバッファ３０３と切り出したストリームデータを保管するメモリ３０５とを別に構成したが１つの記憶媒体で構成しても良い。また上述実施例１ではメモ要求のレコードと生のストリームデータとを用いて視聴要求時にストリームデータを切り出してその部分だけ視聴できるようにしたが、切り出したストリームデータを実施例２に示すように保管するようにしても良い。
【図面の簡単な説明】
【００５１】
【図１】この発明に実施例１の構成を示すブロック図である。
【図２】上述実施例１のメモ要求送信機の構成例を説明するブロック図である。
【図３】上述実施例１の記録動作を説明する図である。
【図４】上述実施例１の管理サーバ１３管理されるレコードを説明する図である。
【図５】上述実施例１で視聴要求を行なうためのユーザインタフェース画面の例を説明する図である。
【図６】上述実施例１の動作を簡略化して説明するフローチャートである。
【図７】この発明の実施例２の構成を示すブロック図である。
【符号の説明】
【００５２】
１０      ストリームデータ記録装置
１１      ストリームデータ転送サービス部
１２      ストリームデータファイルサーバ
１３      管理サーバ
１４      メモ要求送信機
１５      メモ要求受信部
１６      メモ要求転送サービス部
１７      クライアント端末
１８      ストリームデータ再生装置
１９      ネットワーク
１００      情報記録システム
１４１      ＩＤレジスタ
１４２      メモ要求操作部
１４３      ゲート部
１４４      セッションレジスタ
１４５      セッション切替操作部
１４６      変調部
１４７      送信部
２００      記録エリア
３００      情報記録装置
３０１      ストリームデータ記録部
３０２      符号化部
３０３      リングバッファ
３０４      メモ要求操作部
３０５      メモリ
３０６      復号部
３０７      再生操作部
３０８      ストリームデータ再生部
【図１】
2005267798.tif 000003
【図２】
2005267798.tif 000004
【図３】
2005267798.tif 000005
【図４】
2005267798.tif 000006
【図５】
2005267798.tif 000007
【図６】
2005267798.tif 000008
【図７】
2005267798.tif 000009